(57)【特許請求の範囲】
【請求項１】
磁気と液体との両者によるフローティング軸受における左側の径方向の端蓋、磁気と液体との両者によるフローティング軸受における二つの径方向のステータ、磁気と液体との両者によるフローティング軸受における支持力を軸方向に提供するシステム、磁気と液体との両者によるフローティング軸受における右側の径方向の端蓋、及び、磁気と液体との両者によるフローティング軸受における右側の径方向の封蓋、を含む磁気と液体との両者によるフローティング軸受の実験台であって、
固定ホルダー、モータ、継手、鐘形状カバー、径方向振動装置、主軸、軸方向振動装置、封蓋、及び、スケルトンオイルシールリングを含み、
前記固定ホルダーは、固定ホルダー左側支持部と固定ホルダー右側支持部とを含み、前記固定ホルダー左側支持部と固定ホルダー右側支持部とが同軸であり、
前記モータは、前記鐘形状カバーの外部の左側に固定して取り付けられ、前記モータのモータ軸が、前記鐘形状カバーの左側を貫通し前記鐘形状カバーの内部に進入して前記継手に接続され、前記主軸にトルクを提供し、
前記継手は、前記鐘形状カバーの内部に位置し、左側がモータ軸に接続され、右側が主軸に接続され、主軸にトルクを伝達し、
前記鐘形状カバーは、固定ホルダー左側支持部の左側面に固定して接続され、
前記磁気と液体との両者によるフローティング軸受における二つの径方向のステータは、左右の両側面に均一に四つの止り穴が設置され、固定ホルダー左側支持部と固定ホルダー右側支持部の左側面とに、四つのザグリ穴が均一に設置され、磁気と液体との両者によるフローティング軸受における左側の径方向のステータは、皿ねじを介して前記固定ホルダー左側支持部の上端の右側に固定して接続され、右側の磁気と液体との両者によるフローティング軸受における径方向のステータは、皿ねじを介して前記固定ホルダー右側支持部の上端の右側に固定して接続され、前記磁気と液体との両者によるフローティング軸受における二つの径方向のステータに止め部が設置され、磁気と液体との両者によるフローティング軸受における二つの径方向のステータと固定ホルダー左側支持部と固定ホルダー右側支持部とが同軸となるように確保され、前記主軸は、前記磁気と液体との両者によるフローティング軸受における二つの径方向のステータを貫通することにより、フローティング用の径方向の支持力を主軸に提供し、
前記スケルトンオイルシールリングの外径と、それぞれ磁気と液体との両者によるフローティング軸受における左側の径方向の端蓋、磁気と液体との両者によるフローティング軸受における右側の径方向の端蓋、及び、磁気と液体との両者によるフローティング軸受における右側の径方向の封蓋の貫通穴との間に、しまりばめが存在しており、前記主軸がスケルトンオイルシールリングを貫通し、
前記磁気と液体との両者によるフローティング軸受における左側の径方向の端蓋は、前記固定ホルダー左側支持部上端の左側面に固定して接続され、前記封蓋に貫通穴が設置され、前記貫通穴の内径が前記主軸外径よりも大きいが前記スケルトンオイルシールリングの外径よりも小さく、ネジを介して前記磁気と液体との両者によるフローティング軸受における左側の径方向の端蓋の左側に取り付けられ、前記磁気と液体との両者によるフローティング軸受における左側の径方向の端蓋と協調して使用されることにより、前記スケルトンオイルシールリングが圧力により左側から押し出されることを防止して、密封に固定する役割を果たし、
前記磁気と液体との両者によるフローティング軸受における支持力を軸方向に提供するシステムは、磁気と液体との両者によるフローティング軸受における左側の径方向のステータの右側に固定して接続され、前記主軸に支持力を軸方向に提供し、前記磁気と液体との両者によるフローティング軸受における左側の径方向のステータの右側を密封に固定し、
前記径方向振動装置の上端にリング状の貫通穴が設置され、前記主軸は、前記リング状の貫通穴を貫通し、磁気と液体との両者によるフローティング軸受の実験台に負荷を径方向に提供し、
前記磁気と液体との両者によるフローティング軸受における右側の径方向の端蓋は、前記固定ホルダー右側支持部の左側面に固定して接続され、前記封蓋に貫通穴が設置され、前記貫通穴の内径が主軸の外径よりも大きいがスケルトンオイルシールリングの外径よりも小さく、ネジを介して磁気と液体との両者によるフローティング軸受における右側の径方向の端蓋の左側に取り付けられ、両者が協調して使用されることにより、防止前記スケルトンオイルシールリングが圧力により左側から押し出されることを防止して、密封に固定する役割を果たし、
前記磁気と液体との両者によるフローティング軸受における右側の径方向の封蓋は、前記右側の磁気と液体との両者によるフローティング軸受における径方向のステータの右側面に固定して接続され、前記封蓋に貫通穴が設置され、前記貫通穴の内径が前記主軸外径よりも大きいが前記スケルトンオイルシールリングの外径よりも小さく、ネジを介して前記磁気と液体との両者によるフローティング軸受における右側の径方向の封蓋の右側に取り付けられ、前記磁気と液体との両者によるフローティング軸受における右側の径方向の封蓋と協調して使用されることにより、前記スケルトンオイルシールリングが圧力により右側から押し出されることを防止して、密封に固定する役割を果たし、
前記軸方向振動装置は、前記主軸の右側に接続され、前記主軸に負荷を軸方向に提供し、
前記主軸の第一端は、前記継手を介して、前記モータ軸に固定して接続され、第二端が前記軸方向振動装置に接続され、磁気と液体との両者によるフローティング軸受の実験台にトルクを出力する、ことを特徴とする、磁気と液体との両者によるフローティング軸受の実験台。
【請求項２】
前記磁気と液体との両者によるフローティング軸受における径方向のステータの一側に前記固定ホルダー左側支持部と固定ホルダー右側支持部と協調される止め部が設置され、前記止め部は、前記磁気と液体との両者によるフローティング軸受における径方向のステータと固定ホルダー左側支持部と固定ホルダー右側支持部とが同軸となることを確保する、ことを特徴とする、請求項１に記載の磁気と液体との両者によるフローティング軸受の実験台。
【請求項３】
前記固定ホルダー左側支持部と固定ホルダー右側支持部とに、四つの止り穴が均一に設置され、前記磁気と液体との両者によるフローティング軸受における左側の径方向の端蓋と磁気と液体との両者によるフローティング軸受における右側の径方向の端蓋とに、四つの貫通穴が均一に設置され、前記磁気と液体との両者によるフローティング軸受における左側の径方向の端蓋と、磁気と液体との両者によるフローティング軸受における右側の径方向の端蓋とが、ネジを介して、それぞれ、前記固定ホルダー左側支持部と固定ホルダー右側支持部とに接続される、ことを特徴とする、請求項１に記載の磁気と液体との両者によるフローティング軸受の実験台。
【請求項４】
前記鐘形状カバーと、磁気と液体との両者によるフローティング軸受における左側の径方向の端蓋とは、四つの貫通穴が均一に設置され、ネジを介して固定ホルダー左側支持部の止り穴に固定して接続される、ことを特徴とする、請求項１に記載の磁気と液体との両者によるフローティング軸受の実験台。
【請求項５】
前記鐘形状カバーと、磁気と液体との両者によるフローティング軸受における左側の径方向の端蓋とは、四つの切り欠け部が均一に設置され、左側の磁気と液体との両者によるフローティング軸受における径方向のステータを固定ホルダー左側支持部に固定するための皿ねじを取り外すことを便宜にする、ことを特徴とする、請求項４に記載の磁気と液体との両者によるフローティング軸受の実験台。
【発明の詳細な説明】
【技術分野】
【０００１】
本発明は、磁気と液体との両者によるフローティング軸受を設計する分野に関し、特に、磁気と液体との両者によるフローティング軸受の実験台に関する。
【背景技術】
【０００２】
磁気と液体との両者によるフローティング軸受は、電磁気力及び静圧の支持力の両方により支持されてなされており、非機械の接触による新たな軸受であって、摩擦や摩耗がなく、負荷の能力が大きく、運動の精度が高く、使用時間が長いなどの利点を有している。そして、多くの人に注目され、幅広く応用されている。従来における磁気と液体との両者によるフローティング軸受の実験台のシステムは、磁気と液体との両者によるフローティング軸受における左側の径方向の端蓋、磁気と液体との両者によるフローティング軸受における径方向のステータ、及び、磁気と液体との両者によるフローティング軸受における軸方向のシステムが順次に接続され、長いボルトを介して固定ホルダー左側支持部に接続されており、磁気と液体との両者によるフローティング軸受における右側の径方向の端蓋、磁気と液体との両者によるフローティング軸受における径方向のステータ、及び、磁気と液体との両者によるフローティング軸受における右側の径方向の封蓋が順次に接続されており、長いボルトを介して固定ホルダー右側支持部に接続されて、組み立てられている。しかしながら、上記の接続方法は、固定ホルダー左側支持部と固定ホルダー右側支持部の右側とに、比較的多い部品が取り付けられていることから、偏心量が大きくなる。また、各部品が左側から右側まで順次に止め部を介して接続されることから、同様に、磁気と液体との両者によるフローティング軸受の実験台の同軸度の誤差が大きくなる。
【発明の概要】
【発明が解決しようとする課題】
【０００３】
本発明の解決しようとする課題は、従来技術に存在している、磁気と液体との両者によるフローティング軸受の実験台システムにおける組み立ての加工誤差により生じた同軸度の誤差を減らすことにより、磁気と液体との両者によるフローティング軸受の実験台のシステムの運動特性を向上させることである。
【課題を解決するための手段】
【０００４】
本発明は、上記した課題を解決するために、磁気と液体との両者によるフローティング軸受の実験台を提供しており、係る実験台は、固定ホルダー、モータ、継手、鐘形状カバー、磁気と液体との両者によるフローティング軸受における左側の径方向の端蓋、二つの磁気と液体との両者によるフローティング軸受における径方向のステータ、磁気と液体との両者によるフローティング軸受における軸方向のシステム、径方向振動装置、主軸、磁気と液体との両者によるフローティング軸受における右側の径方向の端蓋、磁気と液体との両者によるフローティング軸受における右側の径方向の封蓋、軸方向振動装置、封蓋、及び、スケルトンオイルシールリングを含む。
【０００５】
前記固定ホルダーは、固定ホルダー左側支持部と固定ホルダー右側支持部とを含み、前記固定ホルダー左側支持部と固定ホルダー右側支持部とが同軸である。
【０００６】
前記モータは、前記鐘形状カバーの外部の左側に固定して取り付けられ、前記モータのモータ軸は、前記鐘形状カバーの左側を貫通し前記鐘形状カバーの内部に進入し、前記継手に接続され、前記主軸にトルクを提供する。
【０００７】
前記継手は、前記鐘形状カバーの内部に位置し、左側がモータ軸に接続され、右側が主軸に接続され、主軸にトルクを伝達する。
【０００８】
前記鐘形状カバーは、固定ホルダー左側支持部の左側面に固定して接続される。
【０００９】
前記磁気と液体との両者によるフローティング軸受における二つの径方向のステータの左右の両側面に、四つの止り穴が均一に設置され、固定ホルダー左側支持部と固定ホルダー右側支持部の左側面に四つのザグリ穴が均一に設置され、左側の磁気と液体との両者によるフローティング軸受における径方向のステータが、皿ねじを介して前記固定ホルダー左側支持部上端の右側に固定して接続され、右側の磁気と液体との両者によるフローティング軸受における径方向のステータが皿ねじを介して前記固定ホルダー右側支持部上端の右側に固定して接続され、前記二つの磁気と液体との両者によるフローティング軸受における径方向のステータに止め部が設置され、磁気と液体との両者によるフローティング軸受における二つの径方向のステータと固定ホルダー左側支持部と固定ホルダー右側支持部とが同軸となることを確保し、前記主軸は、前記二つの磁気と液体との両者によるフローティング軸受における径方向のステータを貫通し、主軸にフローティング用の径方向の支持力を提供する。
【００１０】
前記スケルトンオイルシールリングの外径と、それぞれ与磁気と液体との両者によるフローティング軸受における左側の径方向の端蓋、磁気と液体との両者によるフローティング軸受における右側の径方向の端蓋、及び、磁気と液体との両者によるフローティング軸受における右側の径方向の封蓋の貫通穴との間に、しまりばめが存在しており、前記主軸がスケルトンオイルシールリングを貫通する。
【００１１】
前記磁気と液体との両者によるフローティング軸受における左側の径方向の端蓋は、前記固定ホルダー左側支持部上端の左側面に固定して接続され、前記封蓋に貫通穴が設置され、前記貫通穴の内径が前記主軸外径よりも大きいが前記スケルトンオイルシールリングの外径よりも小さく、ネジを介して前記磁気と液体との両者によるフローティング軸受における左側の径方向の端蓋の左側に取り付けられ、前記磁気と液体との両者によるフローティング軸受における左側の径方向の端蓋と協調して使用されることにより、前記スケルトンオイルシールリングが圧力により左側から押し出されることを防止して、密封に固定する役割を果たす。
【００１２】
前記磁気と液体との両者によるフローティング軸受における軸方向のシステムは、磁気と液体との両者によるフローティング軸受における左側の径方向のステータの右側に固定して接続され、前記主軸に支持力を軸方向に提供し、前記磁気と液体との両者によるフローティング軸受における左側の径方向のステータの右側を密封に固定する。
前記径方向振動装置の上端にリング状の貫通穴が設置され、前記主軸は、前記リング状の貫通穴を貫通し、磁気と液体との両者によるフローティング軸受の実験台に負荷を径方向に提供する。
【００１３】
前記磁気と液体との両者によるフローティング軸受における右側の径方向の端蓋は、前記固定ホルダー右側支持部の左側面に固定して接続され、前記封蓋に貫通穴が設置され、前記貫通穴の内径が主軸の外径よりも大きいがスケルトンオイルシールリングの外径よりも小さく、ネジを介して磁気と液体との両者によるフローティング軸受における右側の径方向の端蓋の左側に取り付けられ、両者が協調して使用されることにより、防止前記スケルトンオイルシールリングが圧力により左側から押し出されることを防止して、密封に固定する役割を果たす。
【００１４】
前記磁気と液体との両者によるフローティング軸受における右側の径方向の封蓋は、前記右側の磁気と液体との両者によるフローティング軸受における径方向のステータの右側面に固定して接続され、前記封蓋に貫通穴が設置され、前記貫通穴の内径が前記主軸外径よりも大きいが前記スケルトンオイルシールリングの外径よりも小さく、ネジを介して前記磁気と液体との両者によるフローティング軸受における右側の径方向の封蓋の右側に取り付けられ、前記磁気と液体との両者によるフローティング軸受における右側の径方向の封蓋と協調して使用されることにより、前記スケルトンオイルシールリングが圧力により右側から押し出されることを防止して、密封に固定する役割を果たす。
【００１５】
好適には、前記軸方向振動装置は、前記主軸の右側に接続され、前記主軸に負荷を軸方向に提供し、前記主軸の第一端は、前記継手を介して、前記モータ軸に固定して接続され、第二端が前記軸方向振動装置に接続され、磁気と液体との両者によるフローティング軸受の実験台にトルクを出力する。
【００１６】
好適には、前記磁気と液体との両者によるフローティング軸受における径方向のステータの一側に前記固定ホルダー左側支持部と固定ホルダー右側支持部と協調される止め部が設置され、前記止め部は、前記磁気と液体との両者によるフローティング軸受における径方向のステータと固定ホルダー左側支持部と固定ホルダー右側支持部とが同軸となることを確保する。
【００１７】
好適には、前記固定ホルダー左側支持部と固定ホルダー右側支持部とに、四つの止り穴が均一に設置され、前記磁気と液体との両者によるフローティング軸受における左側の径方向の端蓋と磁気と液体との両者によるフローティング軸受における右側の径方向の端蓋とに、四つの貫通穴が均一に設置され、前記磁気と液体との両者によるフローティング軸受における左側の径方向の端蓋と、磁気と液体との両者によるフローティング軸受における右側の径方向の端蓋とが、ネジを介して、それぞれ、前記固定ホルダー左側支持部と固定ホルダー右側支持部とに接続される。
【００１８】
好適には、前記鐘形状カバーと、磁気と液体との両者によるフローティング軸受における左側の径方向の端蓋とは、四つの貫通穴が均一に設置され、ネジを介して固定ホルダー左側支持部の止り穴に固定して接続される。
【００１９】
好適には、前記鐘形状カバーと、磁気と液体との両者によるフローティング軸受における左側の径方向の端蓋とは、四つの切り欠け部が均一に設置され、前記左側磁気と液体との両者によるフローティング軸受における径方向のステータを固定ホルダー左側支持部に固定するための皿ねじを取り外すことを便宜にする。
【発明の効果】
【００２０】
本発明は、従来技術に比べると、その利点が以下の通りである。
【００２１】
磁気と液体との両者によるフローティング軸受における二つの径方向のステータは、左右の両側面に、四つの止り穴が均一に設置され、固定ホルダー左側支持部と固定ホルダー右側支持部の左側面とに、四つのザグリ穴が均一に設置され、磁気と液体との両者によるフローティング軸受における径方向のステータは、皿ねじを介して固定ホルダー左側支持部上端に固定して接続され、また、磁気と液体との両者によるフローティング軸受における二つの径方向のステータ加工に、止め部が設置され、磁気と液体との両者によるフローティング軸受における二つの径方向のステータと、固定ホルダー左側支持部と固定ホルダー右側支持部とが同軸となることを確保する。そして、磁気と液体との両者によるフローティング軸受における径方向のステータの同軸度は、固定ホルダー左側支持部と固定ホルダー右側支持部との同軸度の誤差にのみ関連していることから、本発明に係る組み立ての加工方法により、磁気と液体との両者によるフローティング軸受のシステムにおける各部品同士に加工の誤差により生じた同軸度の誤差を減らすことができる。
【図面の簡単な説明】
【００２２】
【図１】本発明の実施例に係る磁気と液体との両者によるフローティング軸受の実験台のシステムの模式図である。
【図２Ａ】本発明の実施例に係る固定ホルダーの左右支持部の左側面図である。
【図２Ｂ】本発明の実施例に係る固定ホルダーの左右支持部の正面図である。
【図３Ａ】本発明の実施例に係る磁気と液体との両者によるフローティング軸受における径方向のステータの左側面図である。
【図３Ｂ】本発明の実施例に係る磁気と液体との両者によるフローティング軸受における径方向のステータの正面図である。
【図４Ａ】本発明の実施例に係る磁気と液体との両者によるフローティング軸受における軸方向のシステムの左側面図である。
【図４Ｂ】本発明の実施例に係る磁気と液体との両者によるフローティング軸受における軸方向のシステムの正面図である。
【図５Ａ】本発明の実施例に係る磁気と液体との両者によるフローティング軸受における左側の径方向の端蓋の左側面図である。
【図５Ｂ】本発明の実施例に係る磁気と液体との両者によるフローティング軸受における左側の径方向の端蓋の断面図である。
【図６】本発明の実施例に係る磁気と液体との両者によるフローティング軸受における右側の径方向の端蓋の断面図である。
【図７】本発明の実施例に係る封蓋の左側面図である。
【図８】本発明の実施例に係る磁気と液体との両者によるフローティング軸受における右側の径方向の封蓋の断面図である。
【図９】本発明の実施例に係る鐘形状カバーの左側面図である。
【図１０】本発明の実施例に係る主軸の正面図である。
【発明を実施するための形態】
【００２３】
以下に、図面を参照しながら、本発明の実施形態を説明する。
【００２４】
図１に示されるように、本発明の実施例が提供する磁気と液体との両者によるフローティング軸受の実験台は、固定ホルダー、モータ１、継手２、鐘形状カバー３、磁気と液体との両者によるフローティング軸受における左側の径方向の端蓋４、磁気と液体との両者によるフローティング軸受における径方向のステータ６、磁気と液体との両者によるフローティング軸受における軸方向のシステム７、径方向振動装置８、主軸９、磁気と液体との両者によるフローティング軸受における右側の径方向の端蓋１０、磁気と液体との両者によるフローティング軸受における右側の径方向の封蓋１２、軸方向振動装置１３、封蓋１４、及び、スケルトンオイルシールリング１９を含む。
【００２５】
固定ホルダーは、固定ホルダー左側支持部５と固定ホルダー右側支持部１１とを含み、固定ホルダー左側支持部５と固定ホルダー右側支持部１１とが同軸である。
【００２６】
モータ１は、鐘形状カバー３の外部の左側に固定して取り付けられ、モータ軸は、鐘形状カバー３の左側を貫通し鐘形状カバー３の内部に進入し、継手２に接続され、図１０に示される主軸９にトルクを提供する。
【００２７】
継手２は、鐘形状カバー３の内部に位置し、左側がモータ軸に接続され、右側が主軸９に接続され、主軸にトルクを伝達する。
【００２８】
鐘形状カバー３は、磁気と液体との両者によるフローティング軸受における左側の径方向の端蓋４の左側に固定して接続される。
【００２９】
本発明の実施例が提供する磁気と液体との両者によるフローティング軸受の実験台のシステムは、磁気と液体との両者によるフローティング軸受における二つの径方向のステータ６を左右に含み、そのうち、磁気と液体との両者によるフローティング軸受における左側の径方向のステータ６は、固定ホルダー左側支持部５の上端の右側に固定して接続され、磁気と液体との両者によるフローティング軸受における右側の径方向のステータ６が固定ホルダー右側支持部１１の上端の右側に固定して接続され、磁気と液体との両者によるフローティング軸受における二つの径方向のステータ６と、固定ホルダー左側支持部５及び固定ホルダー右側支持部１１とが同軸となり、主軸が磁気と液体との両者によるフローティング軸受における二つの径方向のステータを貫通する。そして、主軸にフローティング用の径方向の支持力を提供することが可能である。
【００３０】
スケルトンオイルシールリング１９の外径は、それぞれ、磁気と液体との両者によるフローティング軸受における左側の径方向の端蓋４、磁気と液体との両者によるフローティング軸受における右側の径方向の端蓋１０、及び、磁気と液体との両者によるフローティング軸受における右側の径方向の封蓋１２の貫通穴との間に、しまりばめが存在しており、主軸９がスケルトンオイルシールリング１９を貫通する。
【００３１】
磁気と液体との両者によるフローティング軸受における左側の径方向の端蓋４は、固定ホルダー左側支持部５上端の左側面に固定して接続され、封蓋１４に貫通穴が設置され、貫通穴の内径が主軸９の外径よりも大きいがスケルトンオイルシールリング１９の外径よりも小さく、ネジを介して磁気と液体との両者によるフローティング軸受における左側の径方向の端蓋４の左側に取り付けられ、両者が協調して使用されることにより、スケルトンオイルシールリング１９が圧力により左側から押し出されることを防止し、密封に固定する役割を果たす。
【００３２】
磁気と液体との両者によるフローティング軸受における軸方向のシステム７は、左側の磁気と液体との両者によるフローティング軸受における径方向のステータ６の右側に固定して接続され、主軸９に支持力を軸方向に提供し、磁気と液体との両者によるフローティング軸受における左側の径方向のステータ６の右側を密封に固定する。
【００３３】
径方向振動装置８の上端には貫通穴がリング状に設置され、主軸９は、リング状貫通穴を貫通し、磁気と液体との両者によるフローティング軸受の実験台に負荷を径方向に提供する。
【００３４】
磁気と液体との両者によるフローティング軸受における右側の径方向の端蓋１０は、固定ホルダー右側支持部１１の左側面に固定して接続され、封蓋１４に貫通穴が設置され、貫通穴の内径が主軸９の外径よりも大きいがスケルトンオイルシールリング１９の外径よりも小さく、ネジを介して磁気と液体との両者によるフローティング軸受における右側の径方向の端蓋１０の左側に取り付けられ、両者が協調して使用されることにより、スケルトンオイルシールリング１９が圧力により左側から押し出されることを防止し、密封に固定する役割を果たす。
【００３５】
磁気と液体との両者によるフローティング軸受における右側の径方向の封蓋１２は、磁気と液体との両者によるフローティング軸受における右側の径方向のステータ６の右側面に固定して接続され、封蓋１４に貫通穴が設置され、貫通穴の内径が主軸９の外径よりも大きいがスケルトンオイルシールリング１９の外径よりも小さく、ネジを介して磁気と液体との両者によるフローティング軸受における右側の径方向の封蓋１２の右側に取り付けられ、両者が協調して使用されることにより、スケルトンオイルシールリング１９が圧力により右側から押し出されることを防止し、密封に固定する役割を果たす。
【００３６】
軸方向振動装置１３は、固定ホルダーに接続され、主軸９に負荷を軸方向に提供する。
【００３７】
主軸９は、その第一端が継手２を介してモータ１に固定して接続され、第二端が軸方向振動装置１３に接続され、磁気と液体との両者によるフローティング軸受の実験台にトルクを出力する。
【００３８】
図２に示されるように、固定ホルダー左側支持部５と固定ホルダー右側支持部１１とに、四つのザグリ穴１６及び四つのホルダー止り穴１５が均一に設置される。
【００３９】
図３に示されるように、磁気と液体との両者によるフローティング軸受における径方向のステータ６の左右の両側面に、四つのステータ止り穴１７が均一に設置され、磁気と液体との両者によるフローティング軸受における径方向のステータの一側にステータ止め部１８が設置される
【００４０】
本発明は、固定ホルダー左側支持部５と固定ホルダー右側支持部１１とに位置する位置付け穴が、ドリルにより直接に加工されてなされるものであることから、その同軸度の誤差が小さい。磁気と液体との両者によるフローティング軸受における左右の二つの径方向のステータ６は、直接に、固定ホルダー左側支持部５と固定ホルダー右側支持部１１とに四つの皿ねじを介して固定して接続される。そして、磁気と液体との両者によるフローティング軸受における径方向のステータ６の同軸度は、固定ホルダー左側支持部５と固定ホルダー右側支持部１１との同軸度の誤差にのみ関連している。また、磁気と液体との両者によるフローティング軸受における左側の径方向の端蓋４と、磁気と液体との両者によるフローティング軸受における右側の径方向の端蓋１０、が直接に、固定ホルダー左側支持部５と固定ホルダー右側支持部１１とに密封に固定される。軸受の端蓋が、磁気と液体との両者によるフローティング軸受における径方向のステータに直接に接続されるという従来の形態に比べると、本発明に係る組み立ての加工方法により、磁気と液体との両者によるフローティング軸受のシステムにおける各部品同士に組み立ての加工誤差により生じた同軸度の誤差を減らすことができる。
【００４１】
図４に示されるように、磁気と液体との両者によるフローティング軸受における軸方向のシステム７の側面に、四つの貫通穴Ａ２０が均一に設置され、その一側に、止め部Ａ２１が設置され、磁気と液体との両者によるフローティング軸受における径方向のステータ６と磁気と液体との両者によるフローティング軸受における軸方向のシステム７との両者がネジを介して固定して接続され、止め部Ａ２１により両者が同軸となることを確保する。
【００４２】
図５に示されるように、磁気と液体との両者によるフローティング軸受における左側の径方向の端蓋４の側面に、四つの貫通穴Ｂ２３、四つの止り穴Ｂ２４、及び、四つの切り欠け部Ａ２２が均一に設置され、その左右の両側に止め部Ｂ１２５、止め部Ｂ２２６が設置され、そのうち、磁気と液体との両者によるフローティング軸受における左側の径方向の端蓋４がネジを介して固定ホルダー左側支持部５に固定して接続され、止め部Ｂ２２６により同軸が確保され、ネジの取り外しを便宜にするように、磁気と液体との両者によるフローティング軸受における左側の径方向の端蓋４に四つの切り欠け部Ａ２２が均一に設置される。
【００４３】
図６に示されるように、磁気と液体との両者によるフローティング軸受における右側の径方向の端蓋１０側面に、四つの貫通穴Ｃ２７及び四つの止り穴Ｃ２８が均一に設置され、その一側に止め部Ｃ２９が設置され、そのうち、磁気と液体との両者によるフローティング軸受における右側の径方向の端蓋１０がネジを介して固定ホルダー右側支持部１１に固定して接続され、止め部Ｃ２９により同軸が確保され、封蓋１４の側面に四つの封蓋貫通穴３０が均一に設置され、封蓋１４と、磁気と液体との両者によるフローティング軸受における右側の径方向の端蓋１０とが、ネジを介して固定して接続される。
【００４４】
図７に示されるように、封蓋１４の側面に四つの封蓋貫通穴３０が均一に設置され、封蓋１４、磁気と液体との両者によるフローティング軸受における左側の径方向の端蓋４、及び、磁気と液体との両者によるフローティング軸受における右側の径方向の封蓋１２は、共に、ネジを介して固定して接続される。
【００４５】
図８に示されるように、磁気と液体との両者によるフローティング軸受における右側の径方向の封蓋１２の側面に、四つの貫通穴Ｄ３１及び四つの止り穴Ｄ３２が均一に設置され、その一側に止め部Ｄ３３が設置され、そのうち、磁気と液体との両者によるフローティング軸受における右側の径方向の封蓋１２と、磁気と液体との両者によるフローティング軸受における径方向のステータ６とが、ネジを介して固定して接続され、止め部Ｄ３３により同軸が確保され、封蓋１４の側面に、四つの封蓋貫通穴３０が均一に設置され、封蓋１４と、磁気と液体との両者によるフローティング軸受における右側の径方向の封蓋１２と、がネジを介して固定して接続される。
【００４６】
図９に示されるように、鐘形状カバー３は、その一側に、四つのネジ貫通穴Ｅ１３５と四つの切り欠け部Ｂ３４が均一に設置され、他側に、四つのネジ貫通穴Ｅ２３６が設置され、モータに固定して接続される。モータは、ネジを介して固定ホルダー左側支持部５に固定して接続され、ネジの取り外しを便宜にするように、鐘形状カバー３の一側に四つの切り欠け部Ｂ３４が均一に設置される。
【００４７】
本発明の実施例は、磁気と液体との両者によるフローティング軸受の実験台のシステムについて、新たな組み立て構成を提供して、磁気と液体との両者によるフローティング軸受の実験台システムにおける各部品同士の同軸度の誤差を減らすことから、磁気と液体との両者によるフローティング軸受のシステムが安全かつ安定に稼働するように確保することができる。
【００４８】
以上に説明した実施例は、本発明の好ましい実施形態を説明するためのものに過ぎず、本発明の範囲を限定するものではない。本発明の趣旨を逸脱しない前提で、当業者が本発明の技術的手段に対して各種の変形や改善を行ってなされたものは、いずれも、本発明の請求の範囲に含まれている。
【符号の説明】
【００４９】
１    モータ
２    継手
３    鐘形状カバー
４    磁気と液体との両者によるフローティング軸受における左側の径方向の端蓋
５    固定ホルダー左側支持部
６    磁気と液体との両者によるフローティング軸受における径方向のステータ
７    磁気と液体との両者によるフローティング軸受における軸方向のシステム
８    径方向振動装置
９    主軸
１０    磁気と液体との両者によるフローティング軸受における右側の径方向の端蓋
１１    固定ホルダー右側支持部
１２    磁気と液体との両者によるフローティング軸受における右側の径方向の封蓋
１３    軸方向振動装置
１４    封蓋
１５    ホルダー止り穴
１６    ザグリ穴
１７    ステータ止り穴
１８    ステータ止め部
１９    スケルトンオイルシールリング
２０    貫通穴Ａ
２１    止め部Ａ
２２    切り欠け部Ａ
２３    貫通穴Ｂ
２４    止り穴Ｂ
２５    止め部Ｂ１
２６    止め部Ｂ２
２７    貫通穴Ｃ
２８    止り穴Ｃ
２９    止め部Ｃ
３０    封蓋貫通穴
３１    貫通穴Ｄ
３２    止り穴Ｄ
３３    止め部Ｄ
３４    切り欠け部Ｂ
３５    ネジ貫通穴Ｅ１
３６    ネジ貫通穴Ｅ２
【図１】
0006893672.tif 000002
【図２Ａ】
0006893672.tif 000003
【図２Ｂ】
0006893672.tif 000004
【図３Ａ】
0006893672.tif 000005
【図３Ｂ】
0006893672.tif 000006
【図４Ａ】
0006893672.tif 000007
【図４Ｂ】
0006893672.tif 000008
【図５Ａ】
0006893672.tif 000009
【図５Ｂ】
0006893672.tif 000010
【図６】
0006893672.tif 000011
【図７】
0006893672.tif 000012
【図８】
0006893672.tif 000013
【図９】
0006893672.tif 000014
【図１０】
0006893672.tif 000015